(57)【要約】【課題】被掃除面上の塵埃を吸引する開口部を有する第１吸込具と、前記第１吸込具に着脱自在で同じく被掃除面上の塵埃を吸引する開口部を有する第２吸込具とを備えた電気掃除機において、使用性を向上した電気掃除機を提供することを目的としている。【解決手段】吸引風を発する電動送風機２と、前記電動送風機２と連通し被掃除面上の塵埃を吸引する第１吸込具８と、前記第１吸込具８に着脱自在で同じく被掃除面上の塵埃を吸引する機能を有する第２吸込具１１と、前記第１吸込具８と前記第２吸込具１１との着脱状態を検知する検知手段と、前記電動送風機２の電力を制御する制御手段とを備え、前記検知手段の出力に応じて前記制御手段が前記電動送風機２の電力を変更するもので、前記第２吸込具１１単独で使用する場合に掃除性能および騒音性能に適した電動送風機２の電力に自然に切り換わるため、使用性を向上できる。【選択図】  図１
2004283215.tif 000002
【特許請求の範囲】
【請求項１】
吸引風を発する電動送風機と、前記電動送風機と連通し被掃除面上の塵埃を吸引する第１吸込具と、前記第１吸込具に着脱自在で同じく被掃除面上の塵埃を吸引する機能を有する第２吸込具と、前記第１吸込具と前記第２吸込具との着脱状態を検知する検知手段と、前記電動送風機の電力を制御する制御手段とを備え、前記検知手段の出力に応じて前記制御手段が前記電動送風機の電力を変更する電気掃除機。
【請求項２】
検知手段をＯＮ／ＯＦＦ信号を出力するスイッチ手段とした請求項１記載の電気掃除機。
【請求項３】
検知手段を電気抵抗値が可変可能な電気抵抗体とした請求項１記載の電気掃除機。
【請求項４】
検知手段をコンデンサとした請求項１記載の電気掃除機。
【請求項５】
第２吸込具を第１吸込具からはずしたとき、制御手段が電動送風機の電力を上昇させる請求項１〜４のいずれか１項に記載の電気掃除機。
【請求項６】
第２吸込具を第１吸込具からはずしたとき、制御手段が電動送風機の電力を低下させる請求項１〜４のいずれか１項に記載の電気掃除機。
【請求項７】
第１吸込具は被掃除面上の塵埃を掻き上げる回転ブラシと前記回転ブラシを駆動させる電動機とを有するとともに、第２吸込具を第１吸込具からはずしたとき、回転ブラシの回転が停止する請求項１〜６のいずれか１項に記載の電気掃除機。
【請求項８】
第２吸込具を第１吸込具からはずして使用する際の専用の運転モードを、制御手段が有する請求項１〜７のいずれか１項に記載の電気掃除機。
【発明の詳細な説明】
【０００１】
【発明の属する技術分野】
本発明は、第１吸込具に着脱自在な第２吸込具を有する電気掃除機に関するものである。
【０００２】
【従来の技術】
従来の電気掃除機は、以下に示す構成が一般的であった。以下、その構成について説明する。
【０００３】
一般的には、被掃除面上の塵埃を吸引する開口部を有する第１吸込具と、前記第１吸込具に着脱自在で同じく被掃除面上の塵埃を吸引する開口部を有する第２吸込具とを備え、前記第２吸込具は前記第１吸込具よりも外形の大きさが小さいため、通常清掃時には、第１吸込具に第２吸込具を装着した状態で使用し、家具と家具との間等の幅が狭い場所においては、前記第１吸込具より大きさの小さい前記第２吸込具を、前記第１吸込具からはずした状態で、幅が狭い場所の清掃用に使用していた。
【０００４】
【特許文献１】
特開２００１−３１４３５８号公報
【０００５】
【発明が解決しようとする課題】
しかしながら上記従来の構成では、第１吸込具に第２吸込具を装着した状態で使用した場合のときには、吸引力を決定する電動送風機の電力値を所定値をするポジションを「標準」或いは「弱」でも十分に被掃除面上の塵埃を清掃できるので、吸い込み力を上げないで掃除を行うのが一般的であるが、第２吸込具を第１吸込具からはずして使用する場合には、家具と家具との間等の幅が狭い場所において使用する機会がほとんどであるため、前記第２吸込具の届かない場所まで清掃能力を必要とするが、吸引力を決定する電動送風機の電力値を所定値をするポジションが第１吸込具に第２吸込具を装着した状態と同じでは、ほとんど機能を果たさず、使用者がわざわざポジションを変更しなければならないわずらわしさがあった。
【０００６】
一方、第１吸込具に第２吸込具を装着した状態で吸引力を決定する電動送風機の電力値を所定値をする「強」ポジションで使用していた場合、第２吸込具を第１吸込具からはずして使用すると、被掃除面上の塵埃を吸引する開口部が、第１吸込具より第２吸込具の方が小さいため、吸引気流の速さが速くなることで気流音が大きくなり、この場合にも、使用者がわざわざポジションを変更しなければならないわずらわしさがあった。
【０００７】
本発明は、上記従来の課題を解決するもので、被掃除面上の塵埃を吸引する開口部を有する第１吸込具と、前記第１吸込具に着脱自在で同じく被掃除面上の塵埃を吸引する開口部を有する第２吸込具とを備えた電気掃除機において、使用性を向上した電気掃除機を提供することを目的としている。
【０００８】
【課題を解決するための手段】
上記課題を解決するために本発明は、吸引風を発する電動送風機と、前記電動送風機と連通し被掃除面上の塵埃を吸引する第１吸込具と、前記第１吸込具に着脱自在で同じく被掃除面上の塵埃を吸引する機能を有する第２吸込具と、前記第１吸込具と前記第２吸込具との着脱状態を検知する検知手段と、前記電動送風機の電力を制御する制御手段とを備え、前記検知手段の出力に応じて前記制御手段が前記電動送風機の電力を変更するもので、第１吸込具と前記第２吸込具との着脱状態を検知し、前記第２吸込具を前記第１吸込具からはずして前記第２吸込具単独で使用する場合、前記第２吸込具を前記第１吸込具に装着して使用していたときの電動送風機の電力から、前記第２吸込具単独で使用する場合に掃除性能および騒音性能に適した電動送風機の電力に自然に切り換わるため、使用者がわざわざポジションを変更しなければならないわずらわしさの問題を解消でき、使用性を向上できる。
【０００９】
【発明の実施の形態】
本発明の請求項１記載の発明は、吸引風を発する電動送風機と、前記電動送風機と連通し被掃除面上の塵埃を吸引する第１吸込具と、前記第１吸込具に着脱自在で同じく被掃除面上の塵埃を吸引する機能を有する第２吸込具と、前記第１吸込具と前記第２吸込具との着脱状態を検知する検知手段と、前記電動送風機の電力を制御する制御手段とを備え、前記検知手段の出力に応じて前記制御手段が前記電動送風機の電力を変更するもので、第１吸込具と前記第２吸込具との着脱状態を検知し、前記第２吸込具を前記第１吸込具からはずして前記第２吸込具単独で使用する場合、前記第２吸込具を前記第１吸込具に装着して使用していたときの電動送風機の電力から、前記第２吸込具単独で使用する場合に掃除性能および騒音性能に適した電動送風機の電力に自然に切り換わるため、使用者がわざわざポジションを変更しなければならないわずらわしさの問題を解消でき、使用性を向上できる。
【００１０】
本発明の請求項２記載の発明は、検知手段をＯＮ／ＯＦＦ信号を出力するスイッチ手段としたもので、安価に精度良く第２吸込具の接続状態を検知できる。
【００１１】
本発明の請求項３記載の発明は、検知手段を電気抵抗値が可変可能な電気抵抗体としたもので、第１吸込具は勿論のこと、第２吸込具についても判別ができる。
【００１２】
本発明の請求項４記載の発明は、検知手段をコンデンサとしたもので、第１吸込具の電動機が直流電動機でも判別ができる。
【００１３】
本発明の請求項５記載の発明は、第２吸込具を第１吸込具からはずしたとき、制御手段が電動送風機の電力を上昇させるもので、第２吸込具を第１吸込具からはずして使用する場合には、家具と家具との間等の幅が狭い場所において使用する機会がほとんどであるため、前記第２吸込具の届かない場所まで清掃能力を必要とするが、それを満足させるために、吸引力を決定する電動送風機の電力値を、第２吸込具が有する塵埃を吸引する開口部の開口面積に適した吸引風が生じるまで上昇させることで、前記第２吸込具単独での吸引力が上昇し清掃性能が向上する。また、使用者がわざわざポジションを変更しなければならないわずらわしさの問題を解消でき、使用性を向上できる。特に充電式の電気掃除機であれば、第２吸込具を第１吸込具に装着しているときの、電動送風機の電力値の設定は小さいため、第２吸込具を第１吸込具からはずしたとき、制御手段が電動送風機の電力を上昇させる効果は顕著である。
【００１４】
本発明の請求項６記載の発明は、第２吸込具を第１吸込具からはずしたとき、制御手段が電動送風機の電力を低下させるもので、被掃除面上の塵埃を吸引する開口部が、第１吸込具より第２吸込具の方が小さいため、吸引気流の速さが速くなるが、吸引力を決定する電動送風機の電力値を、前記第２吸込具が有する塵埃を吸引する開口部の開口面積に適した吸引風となるまで低下させることで、前記第２吸込具単独での気流音が低下し使用性が向上する。また、使用者がわざわざポジションを変更しなければならないわずらわしさの問題を解消でき、使用性を向上できる。
【００１５】
本発明の請求項７記載の発明は、第１吸込具は被掃除面上の塵埃を掻き上げる回転ブラシと前記回転ブラシを駆動させる電動機とを有するとともに、第２吸込具を前記第１吸込具からはずしたとき、回転ブラシの回転が停止するもので、前記回転ブラシの回転を停止させることで無駄な電力の消費を抑えるとともに、安全性を向上できる。
【００１６】
本発明の請求項８記載の発明は、第２吸込具を第１吸込具からはずして使用する際の専用の運転モードを、制御手段が有するもので、使用者が任意に第２吸込具単独で使用するときの、電動送風機の電力の設定をすることができ、使い勝手の向上が図れる。
【００１７】
【実施例】
（実施例１）
以下、本発明の実施例について添付図１〜図５を用いて説明する。なお、従来例と同一構成部品については同一符号を付し、その説明を省略する。
【００１８】
図１および図２において、１は掃除機本体で吸引風を発する電動送風機２を内蔵しており、前記吸引風を発する電動送風機２および電動送風機駆動手段２０は交流電源２１間に直列に接続されている。検知手段２２は前記第２吸込具１１に配設されており、被掃除面上の塵埃を吸引する開口部（図示せず）を有する第１吸込具８と、前記第１吸込具８に着脱自在で同じく第２吸込具１１の接続の有無を検知するものである。なお、前記第１吸込具８に前記第２吸込具１１を装着した場合には、前記第１吸込具８が有する開口部（図示せず）から、前記第２吸込具１１が有する開口部（図示せず）、前記延長管７を介して前記電動送風機２の吸気口（図示せず）まで連通した吸気通路（図示せず）を形成して、前記第１吸込具８が有する開口部（図示せず）から被掃除面上の塵埃を吸引する構成となっている。また、前記第１吸込具８から前記第２吸込具１１をはずした場合には、前記第２吸込具１１が有する開口部（図示せず）から、前記延長管７を介して前記電動送風機２の吸気口（図示せず）まで連通した吸気通路（図示せず）を形成して、前記第２吸込具１１が有する開口部（図示せず）から被掃除面上の塵埃を吸引する構成となっている。なお、第１吸込具８が有する開口部（図示せず）は、前記第２吸込具１１が有する開口部（図示せず）より開口面積は大きく、また、本実施例における電気掃除機は、二次電池（図示せず）を備えた充電式である。
【００１９】
２３は手元操作部５内に配置され、使用者が被掃除床面の状態により任意に電動送風機２の吸い込み力の「強」、「中」、「弱」、「切」設定を行うためのパワー設定手段であり、この設定により電動送風機駆動手段２０の位相制御量が設定される。２４は使用者によりパワー設定手段２３で選択された運転ポジションに応じて、電動送風機２の供給電力（位相制御量）を決定するとともに、検知手段２２の出力に基づいて、電動送風機２の供給電力（位相制御量）を切り替え制御する制御手段である。電動送風機駆動手段２０は制御手段２４により電動送風機２を駆動する。
【００２０】
図３は、第１吸込具８と第２吸込具１１との接続を示す図である。第１吸込具８の接続部には第２吸込具１１に設けられた接続端子２５と電気的に接続される接続ピン２６および検知リブ２７が設けられている。また、第２吸込具１１内部には検知手段２２として、検知リブ２７に対向する位置に可動板２９を備えたマイクロスイッチ２８を配設することで、第１吸込具８を第２吸込具１１に接続するために挿入すると、検知リブ２７がマイクロスイッチ２８の可動板２９を押すことでマイクロスイッチ２８がＯＮ状態となり、第１吸込具８が第２吸込具１１に接続されたかどうかを検知することができる。
【００２１】
或いは、図４に示すように、第２吸込具１１内に第１吸込具８に同様に設けた検知リブ２７に対向する位置に、片側が固定され他端を電気抵抗値を可変させるスライドリブ３０と連動したバネ３１を備えた電気抵抗体３２を配設することで、検知リブ２７がスライドリブ３０を押し、電気抵抗体３２の電気抵抗値を可変するという動作となり、上述と同様に第１吸込具８の接続の有無を検知できる。また、第１吸込具８が接続されていない場合には、スライドリブ３０と連動したバネ３１の力により初期の位置に戻るものである。また、前記マイクロスイッチ２８や電気抵抗体３２の代わりに、コンデンサ（図示せず）を用いて、第１吸込具８に第２吸込具１１が装着された状態と、第１吸込具８から第２吸込具１１をとりはずした状態とで、前記コンデンサ（図示せず）を流れる電流値を比較しても、第１吸込具８が第２吸込具１１に接続されたかどうかを検知することができる。
【００２２】
上記構成による動作は以下の通りである。
【００２３】
通常の掃除形態である第１吸込具８が接続されている状態において、使用者がパワー設定手段２３の「強」ポジションを選択した場合、図５に示すように、開放消費電力（位相制御量）がＷ１となるように電動送風機２の運転を開始する。同様に、「中」ポジション時には開放消費電力がＷ２、「弱」ポジション時には開放消費電力がＷ３となるようにパワー設定手段２３の選択ポジションに応じて、制御手段２４は電動送風機駆動手段２０を介して電動送風機２を予め設定された位相制御量で運転するものである。
【００２４】
第１吸込具８より第２吸込具１１が外されると、検知手段２２にて外れたことが検知される。制御手段２４は検知手段２２の出力に基づいて、「強」ポジションの消費電力Ｗ１を上限電力とした高めの消費電力となるように位相制御量を制御手段２４にて切り替えるものであり、掃除に必要な風量を確保して掃除性能を維持し、効率的な掃除を行うことができる。
【００２５】
（実施例２）
次に本発明の第２の実施例について図６を用いて説明する。なお、従来例と同一構成部品については同一符号を付し、その説明を省略する。
【００２６】
図６において、パワー設定手段３３には、使用者が被掃除床面の状態により任意に電動送風機２の吸い込み力の「強」、「中」、「弱」、「切」等のモード設定スイッチおよび、第２吸込具１１使用の際に掃除性能の確保が維持できるように電動送風機２の電力を設定した「第２吸込具モード」スイッチを設けたものであり、使用者が任意に設定をすることができ、使い勝手の向上を図ることができる。
【００２７】
なお、「第２吸込具モード」スイッチを掃除機本体１に配置することができることはいうまでもない。
【００２８】
（実施例３）
次に本発明の第３の実施例について図７を用いて説明する。なお、従来例と同一構成部品については同一符号を付し、その説明を省略する。
【００２９】
第２吸込具１１内部に配設された検知手段２２により、第１吸込具８より第２吸込具１１がはずれたことを検知した場合には、図７に示すように電動送風機２の設定電力を「強」ポジションの消費電力Ｗ１を上限電力とし、「中」ポジション或いは「弱」ポジションでは、予め運転モードとして設定している消費電力Ｗ２またはＷ３の消費電力よりも高めの消費電力Ｗ４或いは、Ｗ５となるような消費電力に位相制御量を制御手段２４にて切り替えるものであり、第１吸込具８より第２吸込具１１がはずれた時に電動送風機２の電力を増加するようにしたもので、掃除に必要な風量を確保して掃除性能を維持し、効率的な掃除を行うことができる。
【００３０】
（実施例４）
次に本発明の第４の実施例について図８を用いて説明する。なお、従来例と同一構成部品については同一符号を付し、その説明を省略する。
【００３１】
第２吸込具１１内部に配設された検知手段２２により、第１吸込具８より第２吸込具１１がはずれたことを検知した場合には、図８に示すように電動送風機２の設定電力を「弱」ポジションの消費電力Ｗ３を下限電力とし、「強」ポジション或いは、「中」ポジションでは、予め運転モードとして設定されている消費電力Ｗ１またはＷ２の消費電力よりも低めの消費電力Ｗ８或いは、Ｗ９となるような消費電力に位相制御量を制御手段２４にて切り替えるものであり、第２吸込具１１を第１吸込具８よりはずして、前記第２吸込具１１を単独で使用する場合に電動送風機２の電力を減少させて、無駄な電力の消費を抑えるとともに必要以上の大騒音となることを防止することができる。
【００３２】
（実施例５）
次に本発明の第５の実施例を図９を用いて説明する。なお、従来例と同一構成部品については同一符号を付し、その説明を省略する。
【００３３】
第２吸込具１１内部に配設された検知手段２２により、回転ブラシを具備した第１吸込具８の接続を検知した場合には、図９に示すように電動送風機２の設定電力を「弱」ポジションの消費電力Ｗ３を下限電力とし、「強」ポジション或いは、「中」ポジションでは、予め運転モードとして設定されている消費電力Ｗ１またはＷ２の消費電力よりも低めの消費電力Ｗ１０或いは、Ｗ１１となるような消費電力に位相制御量を制御手段２４にて切り替えるものであり、回転ブラシを具備した第１吸込具８の接続時に電動送風機２の電力を減少するようにしたもので、掃除性能を維持し且つ騒音の低減が図れる。
【００３４】
一方、前記検知手段２２により、第１吸込具８より第２吸込具１１がはずれたことを検知した場合には、前記回転ブラシを駆動させる電動機（図示せず）の駆動を停止させ、前記回転ブラシの回転を止める。
【００３５】
【発明の効果】
本発明によれば、被掃除面上の塵埃を吸引する開口部を有する第１吸込具と、前記第１吸込具に着脱自在で同じく被掃除面上の塵埃を吸引する開口部を有する第２吸込具とを備えた電気掃除機において、使用性を向上した電気掃除機を提供できる。
【図面の簡単な説明】
【図１】本発明の第１の実施例における電気掃除機の外観図
【図２】同電気掃除機のブロック図
【図３】同電気掃除機のマイクロスイッチを検知手段とした説明図
【図４】同電気掃除機の電気抵抗体を検知手段とした説明図
【図５】同電気掃除機の消費電力設定の説明図
【図６】本発明の第２の実施例の電気掃除機の消費電力設定手段図
【図７】本発明の第３の実施例の電気掃除機の消費電力設定の説明図
【図８】本発明の第４の実施例の電気掃除機の消費電力設定の説明図
【図９】本発明の第５の実施例の電気掃除機の消費電力設定の説明図
【符号の説明】
２  電動送風機
８  第１吸込具
１１  第２吸込具
２０  電動送風機駆動手段
２２  検知手段
２３  パワー設定手段
２４  制御手段
２７  検知リブ
２８  マイクロスイッチ
２９  可動板
３０  スライドリブ
３１  バネ
３２  電気抵抗体
【図１】
2004283215.tif 000003
【図２】
2004283215.tif 000004
【図３】
2004283215.tif 000005
【図４】
2004283215.tif 000006
【図５】
2004283215.tif 000007
【図６】
2004283215.tif 000008
【図７】
2004283215.tif 000009
【図８】
2004283215.tif 000010
【図９】
2004283215.tif 000011